(57)【要約】【課題】  暗い場所での装着を可能にした使い捨ておむつを提供する。【解決手段】  止着テープ１５のタブ部１５の表面にその存在位置を僅かな光を反射することにより認識させる暗所視認処理部２０を設ける。【選択図】  図３
2006305377.tif 000002
【特許請求の範囲】
【請求項１】
前ウェスト部から後ウェスト部に至る縦長に形成され、前記後ウェスト部両側に設けられた止着テープのタブ部を前記前ウェスト部に設けられたフロントターゲットテープに止着するようにした使い捨ておむつにおいて、
前記止着テープのタブ部の表面に、僅かな光を反射するための暗所視認処理が施されてなることを特徴とする使い捨ておむつ。
【請求項２】
止着テープのタブ部の止着面が粘着面であり、フロントターゲットテープの表面が易剥離面である請求項１に記載の使い捨ておむつ。
【請求項３】
止着テープのタブ部の表面の輪郭に暗所視認処理が施されてなる請求項１または２に記載の使い捨ておむつ。
【請求項４】
止着テープのタブ部の表面に絵柄もしくは文字の形状に暗所視認処理が施されてなる請求項１または２に記載の使い捨ておむつ。
【請求項５】
粘着面を構成する粘着剤に僅かな光を反射する材料が混入されている請求項２に記載の使い捨ておむつ。
【請求項６】
止着テープのタブ部の表面に、粗面が形成されている請求項１〜５のいずれかに記載の使い捨ておむつ。
【発明の詳細な説明】
【技術分野】
【０００１】
本発明は、幼児、失禁者等を対象とする使い捨ておむつに関し、特に、夜間や薄暗い場所においての装着を容易にした使い捨ておむつに関するものである。
【背景技術】
【０００２】
使い捨ておむつは、内側の液透過性シートと外側の液不透過性のシートとの間に吸収体を介在させて前ウェスト部から後ウェスト部に至る縦長に形成された本体部を基本部分として、この本体部を着用者に装着する形態からフラット型とパンツ型とに大別される。フラット型の使い捨ておむつは、前記本体部の後ウェスト部の両側に止着テープを設け、前ウェスト部にフロントターゲットテープを設けて、装着時には本体部を着用者の背側から腹側に当てがい、後ウェスト部両側の止着テープを前ウェスト部にあるフロントターゲットテープに止着する。パンツ型の使い捨ておむつは、前記本体部の前ウェスト部と後ウェスト部とを接合して着用者の胴と両足の開口部を設けてパンツを履かせる要領で装着する。
【発明の開示】
【発明が解決しようとする課題】
【０００３】
上記パンツ型の使い捨ておむつは、下着としてのパンツと同様に自分で上げ下げできる特徴を有しており、幼児の「おむつ離れ」を促すトイレットトレーニング用や失禁者用、歩行可能な大人用としての用途が主となる。従って、暗い場所でも着脱は比較的容易である。
【０００４】
これに対して、フラット型の使い捨ておむつは、歩行ができるようになる以前の幼児が主対象であり、仰臥状態にある着用者に対して使い捨ておむつを着脱することになり、後ウェスト部側の止着テープを前ウェスト部のフロントターゲットテープの止着面に着用者の体格、体型に応じて調節して止着する作業が伴う。従って、暗い場所では、手さぐりで止着テープを見つけ出し、手さぐりでフロントターゲットテープに止着することになり、確実に装着できなかったり、体格、体型に応じた調節が不的確で排泄物の漏れにつながったりする課題があった。
【０００５】
また、おむつを装着する前に着用者にベビーパウダー等を塗布する作業を行うため、手にはベビーパウダー等が付着していることが多く、止着テープが粘着によるものである場合に、暗い中で手さぐりの作業を行っていると粘着面や被粘着面にベビーパウダー等が付きやすく、粘着性を低下させて使い捨ておむつの装着が不完全になる恐れがある。
【０００６】
本発明はフラット型の使い捨ておむつの上記課題に鑑みて創案されたもので、暗い場所での着脱を容易にした使い捨ておむつを提供することを目的とする。
【課題を解決するための手段】
【０００７】
上記目的を達成するための本発明は、前ウェスト部から後ウェスト部に至る縦長に形成され、前記後ウェスト部両側に設けられた止着テープのタブ部を前記前ウェスト部に設けられたフロントターゲットテープに止着するようにした使い捨ておむつにおいて、前記止着テープのタブ部の表面に、僅かな光を反射するための暗所視認処理が施されてなることを特徴とするものである。
【０００８】
本発明によれば、止着テープのタブ部の表面に、僅かな光を反射するための暗所視認処理が施されているので、暗い場所でもその位置を認識することができ、暗い中でもおむつの着脱を容易に行うことができる。
【０００９】
上記僅かな光を反射するための暗所視認処理は、タブ部の表面の輪郭に、あるいはタブ部の表面に絵柄もしくは文字の形状に施すことにより、止着テープのタブ部の位置を暗い中でも認識することができる。
【００１０】
また、止着テープが粘着による止着構造である場合に、止着テープのタブ部の止着面を構成する粘着剤に僅かな光を反射する材料を混入することにより、粘着面が光ので暗い中でも止着テープの位置を認識することができる。
【００１１】
また、前記止着テープのタブ部の表面に、僅かな光を反射するための暗所視認処理を施すことに加え、粗面が形成されていると、手触りによってその位置を認識することもでき、暗い場所でもおむつの着脱を容易に行うことができる。
【００１２】
上記各発明において、フロントターゲットテープに、止着テープの止着位置を示す目印線及び／又は番号を示す処理を、僅かな光を反射するための暗所視認処理により施すことにより、止着テープの止着位置を体格や体型に応じて調節する作業を容易に行うことができる。
【００１３】
また、フロントターゲットテープに、止着テープの止着位置を示す目印線及び／又は番号を示す印刷を施すと共に、全面又は所要部位に僅かな光を反射するための暗所視認処理を施すことにより、光る面上に目印線及び／又は番号が識別でき、止着テープの止着位置を体格や体型に応じて調節する作業を容易に行うことができる。
【発明の効果】
【００１４】
以上の説明の通り本発明によれば、止着テープに僅かな光を反射するための暗所視認処理が施されているので、暗い中でも止着テープの存在位置を認識することができ、暗い中で使い捨ておむつを装着する作業を行うことができる。
【発明を実施するための最良の形態】
【００１５】
以下、添付図面を参照して本発明の実施形態について説明し、本発明の理解に供する。尚、以下に示す実施形態は本発明を具体化した一例であって、本発明の技術的範囲を限定するものではない。
【００１６】
図１は、本実施形態に係る使い捨ておむつ１の全体構成を示すもので、所謂フラット型と称される形態に構成されている。この使い捨ておむつ１は、着用者の腹側となる前ウェスト部１１から股間部２１を経て背側となる後ウェスト部１２に至る縦長で左右対称に形成されている。
【００１７】
使い捨ておむつ１は、外面を形成する液不透過性の外面シート２２と、内面を形成する液透過性の内面シート２３とを中央部に吸収体を介在させて接合し、糸状の弾性伸縮部材（例えば、糸ゴム）を縦長方向に伸長状態にして接合することにより中央部の左右方向両側に立体ギャザー部５、５、その左右方向両側に外縁部６、６が設けられ、前記弾性伸縮部材７の収縮により図示するように湾曲した形状に形成される。また、前ウェスト部１１及び後ウェスト部１２にはテープ状の弾性伸縮部材（例えば、発泡ポリウレタン）が外面シート２２と内面シート２３とを接合する際にギャザリングされた両シート間に接合されていることにより、前ウェスト部１１及び後ウェスト部１２にアール形状が形成されている。
【００１８】
また、後ウェスト部１２側から左右に延出させた後サイドフラップ１３、１３に止着テープ１５、１５が設けられ、前ウェスト部１１に易剥離面を設けたフロントターゲットテープ１６が設けられている。前記止着テープ１５は、図２に示すように、後サイドフラップ１３に固定された基部１５ａに易剥離面１８が設けられ、基部１５ａから止着面１７を設けたタブ部１５ｂに延長するテープ状に形成され、非使用状態では図示するようにタブ部１５ａの止着面１７を基部１５ａの易剥離面１８に貼り合わせた状態にして止着面１７が後述する粘着による止着である場合に埃等の付着により粘着性が低下しないように保護している。また、タブ部１５ａの端部にはタブ部１５ａを摘むための摘み面１９が設けられており、止着面１７に指が触れないようにすると同時にタブ部１５ａの引き剥がしを容易にしている。
【００１９】
前記止着テープ１５とフロントターゲットテープ１６との間の止着及び止着の剥離は、粘着面と易剥離面とによる粘着による止着構造、又は、面ファスナーの係止鉤形成面と繊維輪形成面とによる係止による止着構造を適用することができる。
【００２０】
粘着による止着構造では、止着テープ１５のタブ部１５ｂの止着面１７は粘着剤を塗着した粘着面とし、基部１５ａの易剥離面１８は珪素樹脂等を塗布するか樹脂表面を平滑な光沢面とすることにより、使い捨ておむつ１の保管状態においてタブ部１５ｂの止着面１７が基部１５ａの易剥離面１８に軽い粘着状態にある状態が維持される。止着テープ１５のタブ部１５ｂが止着するフロントターゲットテープ１６は全面を易剥離面とするが、着用者の動きに伴って剥離方向の力が加わるので、止着テープ１５の基部１５ａの易剥離面１８より粘着強度を大きくすることが望ましい。
【００２１】
また、面ファスナーを用いた構成では、フロントターゲットテープ１６を繊維輪形成面に、止着テープ１５のタブ部１５ｂ止着面１７を係止鉤形成面とするのが好ましい。また、タブ部１５ｂの止着面１７に対抗する基部１５ａの表面にも係止鉤形成面を貼着して使い捨ておむつ１の保管時にタブ部１５ｂが止着する面とする。
【００２２】
上記構成になる使い捨ておむつ１の使用時には、後ウェスト部１２を着用者の背側にして股間を通して前ウェスト部１１を腹側に当てると、図３に示すように、後ウェスト部１２側の後サイドフラップ１３、１３と前ウェスト部１１側の前サイドフラップ１４、１４とが着用者の体側で重なり合うので、止着テープ１５のタブ部１５ｂを基部１５ａから剥がして前記フロントターゲットテープ１６に止着面１７で止着すると、パンツ状の形態に着用者に装着させることができる。フロントターゲットテープ１６には目印線１６ａ及び目印番号１６ｂが表示されているので、目印線１６ａを目安に着用者の体格、体型に応じて止着テープ１５の止着位置を決め、最もフィットする装着状態を得ることができる。
【００２３】
上記使い捨ておむつ１を薄暗い場所や夜間でも着用者に装着しなければならない場合がある。新しい使い捨ておむつ１を着用者に装着するとき、その前に着用者にベビーパウダー等を塗布していることが多く、手さぐりで止着テープ１５を見つけ出したとしても、パウダーが付いた手で止着テープ１５を扱うと、止着テープ１５が粘着構造であるとき、タブ部１５ｂの粘着部分にパウダーが付着して粘着力を低下させ、装着が不完全になる恐れがある。また、手さぐりの作業はフロントターゲットテープ１６にもパウダーを付着させる恐れがあり、やはり粘着力を低下させてしまうことになり、粘着強度が低下するため、装着が不完全になる恐れがある。
【００２４】
暗い場所でも止着テープ１５の位置やウエストターゲットテープ１６への止着位置が分かるようになっていると、暗い場所でも着脱が可能になる。これを実現する第１〜第３の実施形態について以下に説明する。
【００２５】
第１の本実施形態は、止着テープ１５に、暗い場所でも止着テープ１５の位置が認識できる処理を施したものである。図４にクロスハッチングで示すように、止着テープ１５のタブ部１５ｂ表面に暗い場所で認識できるように僅かな光を反射するための暗所視認処理部２０が設けられている。止着テープ１５に対する前記暗所視認処理部２０の形成は、図５（ａ）（ｂ）に示すように、タブ部１５ｂ表面に部分的に設けても止着テープ１５を認識することができる。図５（ａ）に示す形態は、タブ部１５ｂ表面の輪郭に前記暗所視認処理部２０を設けたものであり、図５（ｂ）に示す形態は、タブ部１５ｂの表面に任意の模様、文字などの形状に前記暗所視認処理部２０を施したものである。
【００２６】
前記暗所視認処理部２０の形成は、反射率の高い材料粉末を塗着することにより行うことができ、これによって僅かな光を反射して止着テープ１５の位置を認識することができる。
【００２７】
前記止着テープ１５の止着面１７を粘着構造とした場合には、粘着剤に反射の性質を示す材料を混入させると、前記タブ部１５ｂの表面に加え止着面１７も光るので、暗い中で止着テープ１５の存在を認識できる。
【００２８】
また、第２の実施形態は、図６に示すように、僅かな光を反射するための暗所視認処理が施された止着テープ１５のタブ部１５ｂの表面に、粗面２５を形成したものである。粗面２５は、タブ部１５ｂの表面に凹凸を形成して手触りで他の部位と異なることが分かるようにしたもので、タブ部１５ｂの表面素材自体を粗面にすることや、点字状に複数の凸部を形成することによって構成することができる。
【００２９】
また、第３の実施形態は、図１及び図３に示すように、止着テープ１５のタブ部１５ｂの表面に僅かな光を反射するための暗所視認処理を施すと共に、フロントターゲットテープ１６に止着テープ１５の止着位置を示す目印線１６ａ及び／又は目印番号１６ｂの位置が暗い中でも分かるように、止着テープ１５の場合と同様の暗所視認処理を施したものである。
【００３０】
目印線１６ａや目印番号１６ｂは、通常の明るい場所での装着時の目印としてフロントターゲットテープ１６上に印刷により施されているので、これに重ねて前記暗所視認処理を施すことや、それらの至近位置に施すことができるが、絵柄や文字、マーク等を別位置に施すこともできる。例えば、目印線１６ａの間に目印線１６ａの位置を示す矢印の形状に施すと、目印線１６ａの位置を認識することができる。
【００３１】
また、フロントターゲットテープ１６の全面又は止着テープ１５の止着部位全体に前記暗所視認処理を施すと、印刷されている目印線１６ａ又は目印番号１６ｂで光っている部分が消され、微弱な光でも目印線１６ａ又は目印番号１６ｂを認識することが可能となる。この構成はフロントターゲットテープ１６を形成する樹脂フィルムに前記反射の機能を有する材料を混合する方法等によって容易に実施することができる。
【図面の簡単な説明】
【００３２】
【図１】使い捨ておむつの構成を示す斜視図。
【図２】止着テープの構成を示す斜視図。
【図３】止着テープをフロントターゲットテープに止着した状態を示す斜視図。
【図４】第１の実施形態に係る全面に暗所視認処理部を設けた止着テープの斜視図。
【図５】同上の（ａ）は輪郭に、（ｂ）は模様状に暗所視認処理部を設けた止着テープの平面図。
【図６】第２の実施形態に係る粗面を設けた止着テープの平面図。
【符号の説明】
【００３３】
１  使い捨ておむつ
１１  前ウェスト部
１２  後ウェスト部
１５  止着テープ
１５ａ  基部
１５ｂ  タブ部
１６  フロントターゲットテープ
１６ａ  目印線
１６ｂ  目印番号
１７  止着面
１８  易止着面
２０  暗所視認処理部
２５  粗面
【図１】
2006305377.tif 000003
【図２】
2006305377.tif 000004
【図３】
2006305377.tif 000005
【図４】
2006305377.tif 000006
【図５】
2006305377.tif 000007
【図６】
2006305377.tif 000008